(57)【要約】【課題】  閉鎖空間の除湿と殺菌、脱臭を行う。除湿装置で生成した水を放電電極に供給する。【解決手段】  閉鎖空間７内の空気を除湿装置６の空気流路３に吸込んで除湿手段４で除湿することで乾燥空気とすると共に、乾燥空気を閉鎖空間７に返送する。除湿装置６に除湿手段４で除湿することで生成した水を溜める水溜め部１３を設ける。除湿手段４で除湿した後の乾燥空気に帯電微粒子水を放出するための静電霧化装置８を除湿装置６に設ける。静電霧化装置８が、放電電極９と、上記水溜め部１３から放電電極９に水を供給するための水搬送部１０と、放電電極に供給された水を静電霧化するために放電電極９に高電圧を印加するための高電圧印加部１５とを備える。水溜め部１３に溜めた水を閉鎖空間７外及び除湿装置６外に蒸発させるための蒸発手段１４を設け。【選択図】図１
2008241094.tif 000002
【特許請求の範囲】
【請求項１】
一端部が吸込部となり且つ他端部が吐出部となった空気流路の途中に除湿手段と送風手段とを備えた除湿装置の上記吸込部と吐出部を閉鎖空間に連通させ、閉鎖空間内の空気を吸込部から除湿装置の空気流路に吸込んで除湿手段で除湿することで乾燥空気とすると共に、該乾燥空気を送風手段により吐出部から閉鎖空間に返送するようにした閉鎖空間の除湿システムにおいて、
除湿装置に除湿手段で除湿することで生成した水を溜める水溜め部を設け、
除湿手段で除湿した後の乾燥空気に帯電微粒子水を放出するための静電霧化装置を除湿装置に設け、該静電霧化装置が、放電電極と、上記水溜め部から放電電極に水を供給するための水搬送部と、放電電極に供給された水を静電霧化するために放電電極に高電圧を印加するための高電圧印加部とを備え、
水溜め部に溜めた水を閉鎖空間外及び除湿装置外に蒸発させるための蒸発手段を設けて成ることを特徴とする閉鎖空間の除湿システム。
【請求項２】
水溜め部の水位に基づいて蒸発手段の出力を制御することを特徴とする請求項１記載の閉鎖空間の除湿システム。 
【発明の詳細な説明】
【技術分野】
【０００１】
本発明は、湿度の高い閉鎖空間の除湿を行うための除湿システムに関するものである。
【背景技術】
【０００２】
従来から、外気と遮断した閉鎖空間内に湿った収納物を入れた状態で、収納物の除湿をして収納物を乾燥させると共に、オゾンで殺菌するようにしたものが特許文献１により知られている。
【０００３】
この特許文献１に示された従来例は、内部が長靴を入れるための閉鎖空間にヒータ付き送風機とオゾン発生器とを設け、オゾン発生器で発生させたオゾンをヒータ付き送風機で送風する温風と共に長靴に吹き付けて長靴を乾燥させると共に殺菌するようになっている。
【０００４】
上記従来例にあっては、殺菌のためにオゾンを発生させているが、オゾンは人体に対して悪影響を与えるため、健康上好ましくなく、また、オゾンを除去する手段が必要となる。しかも、オゾンは単に収納物や閉鎖空間の壁面に付いて殺菌をするだけのものであり、収納物や壁面の表面から内部に浸透して内部まで殺菌、脱臭することはできず、殺菌、脱臭効果が十分であるとは言い難たかった。特に、カビは壁面などの表面から内部にかけて繁殖するが、内部に浸透して防カビ作用を発揮することはできなかった。
【０００５】
また、従来から放電電極と、放電電極に水を供給する水供給手段と、放電電極に供給された結露水を静電霧化するために放電電極に高電圧を印加するための高電圧印加部とを備え、放電電極に供給された水を静電無化して帯電微粒子水を生成するようにした静電霧化装置が特許文献２により知られている。この静電霧化装置により生成される帯電微粒子水は、オゾンに比べて人体に対して無害であり、しかも、殺菌、脱臭効果も優れている。しかしながら、放電電極に水を供給する水供給手段として、例えば、水タンクに溜めた水を毛細管現象により放電電極の先端に供給するものにおいては、水タンクに水を補充する手間が必要である。
【特許文献１】特開２００２−１７２１５２号公報
【特許文献２】特許第３２６０１５０号公報
【発明の開示】
【発明が解決しようとする課題】
【０００６】
本発明は上記の従来の問題点に鑑みて発明したものであって、湿度の高い閉鎖空間の除湿をするに当り、同時に静電霧化装置で生成した帯電微粒子水により閉鎖空間内の殺菌、脱臭が効果的に行え、しかも、静電霧化装置に帯電微粒子水を生成するに当り、除湿装置で生成された水を有効利用して放電電極に供給することができて、水の補給を手作業をする手間が省ける閉鎖空間の除湿システムを提供することを課題とするものである。
【課題を解決するための手段】
【０００７】
上記課題を解決するために本発明に係る閉鎖空間の除湿システムは、一端部が吸込部１となり且つ他端部が吐出部２となった空気流路３の途中に除湿手段４と送風手段５とを備えた除湿装置６の上記吸込部１と吐出部２を閉鎖空間７に連通させ、閉鎖空間７内の空気を吸込部１から除湿装置６の空気流路３に吸込んで除湿手段４で除湿することで乾燥空気とすると共に、該乾燥空気を送風手段５により吐出部２から閉鎖空間７に返送するようにし、除湿装置６に除湿手段４で除湿することで生成した水を溜める水溜め部１３を設け、除湿手段４で除湿した後の乾燥空気に帯電微粒子水を放出するための静電霧化装置８を除湿装置６に設け、該静電霧化装置８が、放電電極９と、上記水溜め部１３から放電電極９に水を供給するための水搬送部１０と、放電電極に供給された水を静電霧化するために放電電極９に高電圧を印加するための高電圧印加部とを備え、水溜め部１３に溜めた水を閉鎖空間７外及び除湿装置６外に蒸発させるための蒸発手段１４を設けて成ることを特徴とするものである。
【０００８】
閉鎖空間７内の湿った空気を吸込部１から吸い込んで除湿手段４で除湿して乾燥空気にして吐出部２から閉鎖空間７に返送することで、閉鎖空間７の除湿を行うのであるが、この場合、静電霧化装置８を運転することで、放電電極９に供給した水を静電霧化して帯電微粒子水を生成し、生成した帯電微粒子水を除湿手段４で除湿した後の乾燥空気に供給するので、帯電微粒子水を含んだ乾燥空気を吐出部２から閉鎖空間７に返送することになる。したがって、閉鎖空間７の除湿を行うと共に同時に閉鎖空間７内に帯電微粒子水を放出して閉鎖空間７内の殺菌、脱臭を行うことができる。特に、帯電微粒子水はナノメータサイズと小さく、閉鎖空間７の壁面などから内部に浸透して殺菌、脱臭ができるので、防カビ効果が優れている。ここで、仮に、除湿手段４で除湿する直前に帯電微粒子水を供給すると、除湿手段４により帯電微粒子水が除湿されて無くなってしまうので、閉鎖空間７に帯電微粒子水を乾燥空気に混入させて放出することができないが、本発明においては、除湿手段４で除湿した後の乾燥空気に帯電微粒子水を放出するので、確実に帯電微粒子水を乾燥空気に混入させて閉鎖空間７に放出することができる。しかも、水溜め部１３の水を水搬送部１０により放電電極９に供給するので、除湿手段４で除湿することで生成した水を有効利用して静電霧化装置８の放電電極９に供給することができて、水の補充を手作業で行う必要がない。しかも、水溜め部１３に溜めた水は全量が放電電極９に供給するには多すぎるので、蒸発手段１４で蒸発させて閉鎖空間７外及び除湿装置６外に排出することで、水溜め部１３に溜まった水を手作業で排水処分する手間が省ける。
【０００９】
また、水溜め部１３の水位に基づいて蒸発手段１４の出力を制御することが好ましい。
【００１０】
このような構成とすることで、これにより、不必要に蒸発手段１４を運転する必要がなく、また、放電電極９への水の供給を確保することができる。
【発明の効果】
【００１１】
本発明は、上記のように構成したので、湿度の高い閉鎖空間の除湿をするに当り、同時に静電霧化装置で生成した帯電微粒子水により閉鎖空間内の殺菌、脱臭が行え、しかも、静電霧化装置に帯電微粒子水を生成するに当り、除湿手段で除湿することで生成した水を有効利用して放電電極に供給することができて、水の補充を手作業で行う必要がなく、また、水溜め部に溜めた水は全量が放電電極に供給するには多すぎるので、蒸発手段で蒸発させて閉鎖空間外及び除湿装置外に排出することで、水溜め部に溜まった水を手作業で排水処分する手間が省けるという効果がある。
【発明を実施するための最良の形態】
【００１２】
以下、本発明を添付図面に示す実施形態に基いて説明する。
【００１３】
除湿装置６には空気流路３が設けてあり、該空気流路３は一端部が吸込部１となり且つ他端部が吐出部２となっている。除湿装置６の空気流路３の一端部の吸込部１及び他端部の吐出部２が下駄箱、収納キャビネット、台所、洗面所、床下等の閉鎖空間７に連通接続してある。吐出部２にはルーバ４０が設けてある。
【００１４】
除湿装置６には空気流路３の途中に除湿手段４と送風手段５とが設けてある。
【００１５】
図１の実施形態では空気流路３の途中に除湿室１８を設けると共に該除湿室１８に蒸発器１９と凝縮器２０を備えることで除湿手段４を構成してある。
【００１６】
除湿室１８の底部には排水部２１が設けてあり、底部は排水部２１側程低くなるような傾斜面となっている。
【００１７】
除湿装置６内の下部には水溜め部１３が設けてあり、上記除湿室１８の底部に設けた排水部２１から流下した水を溜めるようになっている。
【００１８】
空気流路３の除湿室１８よりも下流側に送風手段５であるファンを収納する送風手段収納室２２が設けてあり、除湿室１８と送風手段収納室２２とは除湿室１８の下流側の下端部に設けた連通口２３で連通していて、除湿室１８で除湿された乾燥空気が連通口２３を経て送風手段収納室２２に流入するようになっている。
【００１９】
上記除湿装置６は送風手段５を運転することで、閉鎖空間７内の空気が吸込部１から吸い込まれ除湿手段４により除湿され、乾燥空気となって吐出部２から閉鎖空間７内に返送されることで、閉鎖空間７の除湿をする。例えば、閉鎖空間７が下駄箱の場合を例に取ると、濡れたり、湿った履物が閉鎖空間７内に収納された場合には、上記のようにして除湿装置６で除湿することで閉鎖空間７内の除湿をすると共に収納された濡れたり、湿った履物を乾燥するようになっている。
【００２０】
添付図面に示す実施形態では吸込部１から吸込まれた湿った空気は、蒸発器１９で熱交換されて加温され、凝縮器２０で冷やされて空気中の水分が結露水となって除去されることで乾燥空気となる。除湿により発生した凝縮水は排水部２１から水溜め部１３に流れて溜められる。
【００２１】
上記のような構成の除湿装置６には更に除湿手段４で除湿した後の乾燥空気に帯電微粒子水を放出するための静電霧化装置８を除湿装置６に設けてある。
【００２２】
静電霧化装置８は、放電電極９と、放電電極９に対向する対向電極２５と、水溜め部１３から放電電極９に毛細管現象により水を供給するための水搬送部１０と、放電電極９に供給された水を静電霧化するために放電電極９に高電圧を印加するための高電圧印加部１５とを備えている。
【００２３】
放電電極９は絶縁材料からなる筒体３０で囲まれており、筒体３０の周壁には筒体３０内外を連通する窓が設けてある。また、対向電極２５はリング状をしていて筒体３０の先端開口部に配設され、放電電極９の軸心の延長線上にリング状の対向電極２５のリングの中心が位置するように放電電極９と対向電極２５とが対向している。また、図２の実施液体では筒体３０の先端部には放出口３４を有する絶縁性材料よりなるカバー３５が取付けてある。
【００２４】
上記の静電霧化装置８は空気流路３の除湿室１８の下流側に配置するか、又は、空気流路３の外部に配置して、静電霧化装置８で生成した帯電微粒子水を空気流路３の除湿室１８の下流側に放出するようになっている。
【００２５】
水溜め部１３内に溜まった水は水搬送部１０で毛細管現象により放電電極９の先端部に供給される。このように放電電極９に水が供給された状態で上記放電電極９と対向電極２５との間に高電圧を印加すると、放電電極９と対向電極２５との間にかけられた高電圧により放電電極９の先端部に供給された水と対向電極２５との間にクーロン力が働いて、水の液面が局所的に錐状に盛り上がり（テーラーコーン）が形成される。このようにテーラーコーンが形成されると、該テーラーコーンの先端に電荷が集中してこの部分における電界強度が大きくなって、これによりこの部分に生じるクーロン力が大きくなり、更にテーラーコーンを成長させる。このようにテーラーコーンが成長し該テーラーコーンの先端に電荷が集中して電荷の密度が高密度となると、テーラーコーンの先端部分の水が大きなエネルギー（高密度となった電荷の反発力）を受け、表面張力を超えて分裂・飛散（レイリー分裂）を繰り返してマイナスに帯電したナノメータサイズの帯電微粒子水を大量に生成させ、生成された帯電微粒子水はカバー３５の放出口３４から、空気流路３の除湿室１８よりも下流側を流れる乾燥空気内に放出され、乾燥空気流に乗って吐出部２から閉鎖空間７内に放出される。
【００２６】
閉鎖空間７内に放出された帯電微粒子水はナノメータサイズと非常に小さく、また、活性種を有しているため、閉鎖空間７内を浮遊して閉鎖空間７内の隅々まで飛翔し、閉鎖空間７内の臭いの成分やアレルゲン物質、ウイルスや菌を効果的に分解、不活性化あるいは抑制あるいは除菌する。特に、帯電微粒子水はナノメータサイズの水粒子であるため、水の浸透により、閉鎖空間７の壁面や収納物の内部に浸透して壁面や収納物の内部に蓄積している臭い成分やアレルゲン物質等の分解、不活性化、あるいはウイルスや菌の抑制あるいは除菌ができる。
【００２７】
ところで、帯電微粒子水を除湿手段４で除湿する直前に供給すると、除湿手段４により帯電微粒子水が除湿されて無くなってしまうので、閉鎖空間７に帯電微粒子水を乾燥空気に混入させて放出することができない。しかしながら、上記のように、除湿手段４で除湿した後の乾燥空気に帯電微粒子水を放出するので、確実に帯電微粒子水を乾燥空気に混入させて閉鎖空間７に放出することができる。しかも、水溜め部１３の水を水搬送部１０により放電電極９に供給するので、除湿手段４で除湿することで生成した水を有効利用して静電霧化装置８の放電電極９に供給することができて、水の補充を手作業で行う必要がない。
【００２８】
上記のように、水溜め部１３内に溜まった水の一部は水搬送部１０で毛細管現象により放電電極９の先端部に供給されるようになっているが、水溜め部１３内に溜まった水は更に蒸発手段１４により蒸発して外部に排出されるようになっている。添付図面に示す実施形態では除湿装置６にヒータ１４ａ、ファン１４ｂを設けることで蒸発手段１４を構成しており、ヒータ１４ａで水溜め部１３に溜まった水を蒸発させると共にファン１４ｂにより除湿装置６のケース３１に設けた排出口３２から外部（閉鎖空間７と除湿装置６外）に排出するようになっている。これにより、水溜め部１３に溜まった水を手作業で排水処分する手間が省ける。
【００２９】
水溜め部１３には図１に示すように、水位検知センサＡ、Ｂ、Ｃ、Ｄが設けてある。ここで、水位検知センサＡは最低水位を検出するためのもので、水位検知センサＤは最高水位を検出するためのものである。
【００３０】
そして、水溜め部１３内の水位を上記水位検知センサＡ、Ｂ、Ｃ、Ｄで検出し、水位に基づいて制御部により除湿手段４、静電霧化装置８、蒸発手段１４の図３のフロー図のようにして制御を行うようになっている。なお、図３のフロー図において、高圧：静電霧化装置８、蒸発加速：ヒータ１４ａ、ファン１４ｂ、除湿：蒸発器１９、凝縮器２０、送風手段５を示す。
【００３１】
すなわち、図３のフロー図に示すように、水位検知センサにより水位を検知し、水位検知センサＡで水位を検知しない場合（つまり、水位が水位検知センサＡで検知する水位Ａよりも下の場合は）、高圧オフ、蒸発加速オフ、除湿オンとなるような制御を行う。
【００３２】
また、水位検知センサＡで水位を検知し且つ水位検知センサＢで水位の検知をしない場合（つまり、水位がＡより上で且つＢより下の場合は）、高圧オン、蒸発加速オフ、除湿オンとなるような制御を行う。
【００３３】
また、水位検知センサＢで水位を検知し且つ水位検知センサＣで水位の検知をしない場合（つまり、水位がＢより上で且つＣより下の場合は）、高圧オン、蒸発加速オン、除湿オンとなるような制御を行う。
【００３４】
また、水位検知センサＣで水位を検知し且つ水位検知センサＤで水位の検知をしない場合（つまり、水位がＣより上で且つＤより下の場合は）、高圧オン、蒸発加速オン、除湿オフとなるような制御を行う。
【００３５】
また、水位検知センサＤで水位を検知した場合（つまり、水位がＤより上の場合は）、高圧オフ、蒸発加速オン、除湿オフとなるような制御を行う。
【００３６】
このように除湿手段４で除湿することで生成した水を溜める水溜め部１３の水位に応じて除湿手段４、静電霧化装置８、蒸発手段１４の制御を自動的に行うことで、水溜め部１３から水が溢れたりするのを防止し、また、水溜め部１３内の水が少ないかあるいは水が無いときに不必要に静電霧化装置８、蒸発手段１４を運転して無駄なエネルギーを使用することを防止すると共に安全性を高め、水位に応じた効果的な運転ができることになる。
【００３７】
なお、添付図面に示す実施形態では放電電極と対向電極との間に高電圧を印加して帯電微粒子水を生成する静電霧化装置８の例を示したが、対向電極を設けない場合であってもよい。
【図面の簡単な説明】
【００３８】
【図１】本発明の一実地形態の全体断面図である。
【図２】同上の要部拡大断面図である。
【図３】同上の制御フローを示すフロー図である。
【符号の説明】
【００３９】
１  吸込部
２  吐出部
３  空気流路
４  除湿手段
５  送風手段
６  除湿装置
７  閉鎖空間
８  静電霧化装置
９  放電電極
１０  水搬送部
１３  水溜め部
１４  蒸発手段 
【図１】
2008241094.tif 000003
【図２】
2008241094.tif 000004
【図３】
2008241094.tif 000005